(57)【要約】      （修正有）【課題】耐荷重力の大きな折畳み式荷物吊下げ具を提供する。【解決手段】支持部２０と、該支持部２０の一端２１に枢着され、支持部２０に対する閉状態から９０°よりも小さな開状態まで開閉可能な懸垂部４０と、該懸垂部４０の開放遊端４２に懸垂部４０に対して起立傾倒可能に枢着された吊下げ部６０を備え、懸垂部４０と吊下げ部６０は枢着軸７２方向に並列配置されると共に、これらが傾倒状態のときに、懸垂部４０と吊下げ部６０のいずれか一方の厚み内に他方が収まる厚さに形成され、支持部２０と懸垂部４０の枢着部分８１に、懸垂部４０を開状態にしたときに相互に面接触して相互の開き角度を規制する当接規制面２５を設け、懸垂部４０と吊下げ部６０の枢着部分８２に、吊下げ部６０を起立状態にしたときに相互に面接触して相互の開き角度を規制する当接規制面６５を設けた。【選択図】図２
0003175038.tif 000002
【実用新案登録請求の範囲】
【請求項１】
取付対象の上面に載置される支持部と、該支持部の一端に枢着され、該支持部に対して重合する閉状態から９０°よりも小さな開状態まで開閉可能な懸垂部と、該懸垂部の開放遊端に該懸垂部に対して起立傾倒可能に枢着された吊下げ部を備えた折畳み式荷物吊下げ具であって、
前記懸垂部と前記吊下げ部は枢着軸方向に並列配置されると共に、これらが傾倒状態のときに、前記懸垂部と前記吊下げ部のいずれか一方の厚み内に他方が収まる厚さに形成され、
前記支持部と前記懸垂部の枢着部分に、該懸垂部を開状態にしたときに相互に面接触して相互の開き角度を規制する当接規制面を設け、
前記懸垂部と前記吊下げ部の枢着部分に、該吊下げ部を起立状態にしたときに相互に面接触して相互の開き角度を規制する当接規制面を設けた
折畳み式荷物吊下げ具。
【請求項２】
前記懸垂部を閉状態にしたときに、全体が厚みのある長方形状となる
請求項１に記載の折畳み式荷物吊下げ具。
【請求項３】
前記支持部における前記取付対象との接触面に滑り止めを備えた
請求項１又は２に記載の折畳み式荷物吊下げ具。
【請求項４】
前記懸垂部の閉状態を保持する保持手段を備えた
請求項１から３のいずれか１つに記載の折畳み式荷物吊下げ具。
【請求項５】
前記保持手段を、前記支持部と前記懸垂部の互いに対向する対向面の少なくとも一方に備えた磁石で構成した
請求項４に記載の折畳み式荷物吊下げ具。
【請求項６】
前記支持部の上面に広告を付した
請求項１から５のいずれか１つに記載の折畳み式荷物吊下げ具。
【請求項７】
取付対象の上面に載置される支持部と、該支持部の一端に枢着され、該支持部に対して重合する閉状態から９０°よりも小さな開状態まで開閉可能な懸垂部と、該懸垂部の開放遊端に該懸垂部に対して起立傾倒可能に枢着された吊下げ部を備えた折畳み式荷物吊下げ具であって、
前記支持部は長方形の板状に形成され、
枢着軸方向は前記支持部の短手方向と平行に設けられ、
前記懸垂部は、閉状態にしたときに前記支持部の他端及び短手方向の両端面と面一となり、前記吊下げ部を傾倒状態にしたときに前記吊下げ部が収容される収容空間を有するコの字状に形成され、
前記吊下げ部は前記懸垂部の厚み内に収まる厚さに形成され、
前記支持部と前記懸垂部の枢着部分に、該懸垂部を開状態にしたときに相互に面接触して相互の開き角度を規制する当接規制面を設け、
前記懸垂部と前記吊下げ部の枢着部分に、該吊下げ部を傾倒状態及び起立状態にしたときに、相互に面接触して相互の開き角度を規制する当接規制面を設けた
折畳み式荷物吊下げ具。
【考案の詳細な説明】
【技術分野】
【０００１】
この考案は、例えば、ハンドバック等に入れて携帯することができ、机やテーブル等の取付対象に引っ掛けて使用するような折畳み式荷物吊下げ具に関する。より詳しくは、取付対象の下で荷物等を吊り下げて、荷物等の自重により吊り下げ状態を安定させるような折畳み式荷物吊下げ具に関する。
【背景技術】
【０００２】
このような折畳み式荷物吊下げ具として、例えば特許文献１に開示されている荷物吊下げ具が挙げられる。
【０００３】
この荷物吊下げ具は、薄い金属板を箱状に成形した収納ケースと、収納ケースの前端に９０°よりも小さい開き角度で開閉可能に枢着された支持板と、収納ケースの後端に収納ケースに対して起立倒伏可能に枢着された回動立伏板を備えている。支持板は不使用時には閉じられて収納ケースの蓋となり、使用時には開かれてテーブル等の上面へ載置される。回動立伏板は倒伏状態では収納ケースの内部に収納される一方、起立状態では外部に延出される。回動立伏板には荷物を引っ掛けるフックが取り付けられている。
【０００４】
また、支持板の開状態において、収納ケースの底板部の前端縁と支持板の裏面前縁が当接して開き角度を規制し、回動立伏板の起立状態において、収納ケースの後板部の上端縁と回動立伏板の後端縁が当接して開き角度を規制する構造を有している。
【０００５】
この荷物吊下げ具は、不使用時には回動立伏板及びフックを箱状の収納ケースの内部に収納し、支持板によって収納ケースに蓋をすることで偏平かつコンパクトになり、嵩張らずに持ち運ぶことができる。
【０００６】
しかし、収納ケースは薄い金属板を箱状に折り曲げて成形したものであり、曲げ剛性を高く出来ず過負荷がかかることで変形するおそれがある。また、収納ケースの底板部及び後板部の縁を夫々支持板及び回動立伏板に線接触させて開き角度を規制する構造であり、荷物の荷重を線で受けているので、局部的に集中荷重がかかり易い。このため、この荷物吊下げ部は耐荷重力が小さいという問題があった。
【先行技術文献】
【特許文献】
【０００７】
【特許文献１】登録実用新案第３１４２２６６号公報
【考案の概要】
【考案が解決しようとする課題】
【０００８】
そこで、この考案は、耐荷重力の大きな折畳み式荷物吊下げ具を提供することを目的とする。
【課題を解決するための手段】
【０００９】
そのための手段は、取付対象の上面に載置される支持部と、該支持部の一端に枢着され、該支持部に対して重合する閉状態から９０°よりも小さな開状態まで開閉可能な懸垂部と、該懸垂部の開放遊端に該懸垂部に対して起立傾倒可能に枢着された吊下げ部を備えた折畳み式荷物吊下げ具であって、前記懸垂部と前記吊下げ部は枢着軸方向に並列配置されると共に、これらが傾倒状態のときに、前記懸垂部と前記吊下げ部のいずれか一方の厚み内に他方が収まる厚さに形成され、前記支持部と前記懸垂部の枢着部分に、該懸垂部を開状態にしたときに相互に面接触して相互の開き角度を規制する当接規制面を設け、前記懸垂部と前記吊下げ部の枢着部分に、該吊下げ部を起立状態にしたときに相互に面接触して相互の開き角度を規制する当接規制面を設けた折畳み式荷物吊下げ具である。
【００１０】
前記折畳み式荷物吊下げ具は、前記懸垂部と前記吊下げ部を枢着軸方向に並列配置する構成である。このため、前記懸垂部と前記吊下げ部の回転方向に沿った各断面を曲げ剛性の高い中実の方形状等に形成することが可能である。また、前記支持部と前記懸垂部の枢着部分、及び前記懸垂部と前記吊下げ部の枢着部分に、相互の開き角度を規制する当接規制面を設けている。このため、荷物を前記吊下げ部に吊り下げた際に、荷物の荷重を面で受けることができる。その結果、前記折畳み式荷物吊下げ具は、懸垂部を薄い板を箱状に形成し、その板の縁で開き角度を規制する構造であるものに比べ、屈曲や変形が生じ難く耐荷重力が高い構造にすることができる。
【００１１】
また、前記懸垂部と前記吊下げ部は傾倒状態においていずれか一方の厚み内に他方が収まる厚さに形成されている。このため、前記懸垂部を閉状態にしたときに、前記懸垂部と前記吊下げ部のいずれか一方は露出しない構造にすることができる。この場合、外観からはあたかも一枚の部材のように見え、見栄えが良い。
【００１２】
前記懸垂部を閉状態にしたときに、全体が厚みのある長方形状となる形状に形成すると、見栄えが良くしかもコンパクトで薄型のハンドバックや服のポケットに入れて携帯するのに便利である。
【００１３】
前記支持部における前記取付対象との接触面に滑り止めを備えると、荷物を吊り下げた折畳み式荷物吊下げ具が前記載置対象の上面から滑り落ちることを防止できる。
【００１４】
前記懸垂部の閉状態を保持する保持手段を備えてもよい。前記保持手段を、例えば前記支持部と前記懸垂部の互いに対向する対向面の少なくとも一方に備えた磁石を用いることができる。このような保持手段を備えることでハンドバック等に入れて持ち運ぶ際に前記懸垂部が不測に開いてしまうことを防止できる。
【００１５】
前記支持部の上面に広告を付すことで、宣伝広告用や販売促進用の物品として提供することもできる。
【考案の効果】
【００１６】
この考案により、耐荷重力の大きな折畳み式荷物吊下げ具を提供できる。
【図面の簡単な説明】
【００１７】
【図１】折畳み式荷物吊下げ具の使用状態を示す側面図。
【図２】折畳み式荷物吊下げ具の展開状態を示す斜視図。
【図３】折畳み式荷物吊下げ具の折畳み状態を示す斜視図。
【図４】図２におけるＡ―Ａ線断面図。
【図５】折畳み式荷物吊下げ具を折り畳む様子を示す説明図。
【図６】他の実施形態の折畳み式荷物吊下げ具を示す斜視図。
【図７】他の実施形態の折畳み式荷物吊下げ具を示す斜視図。
【考案を実施するための形態】
【００１８】
この考案を実施するための一形態を、以下図面を用いて説明する。  
折畳み式荷物吊下げ具１１は、図１から図５に示すように、テーブル１００に載置される支持部２０と、支持部２０におけるテーブル１００の端側の一端２１に枢着され、支持部２０に対して重合する閉状態から９０°よりも小さな開状態まで開閉可能な懸垂部４０と、懸垂部４０の開放遊端４２に、懸垂部４０に対して起立傾倒可能に枢着された吊下げ部６０を備えている。
【００１９】
支持部２０は、厚みのある長方形の板状に形成されている。支持部２０の下面２４には、支持部２０と懸垂部４０を枢着する突出部３０が設けられている。突出部３０は、支持部２０の長手方向の一端２１における短手方向の中央に突設されている。突出部３０は、支持部２０の短手方向の幅の３分の１程度の幅を有する形状に形成されている。
【００２０】
懸垂部４０は、厚みのある中実の長方形の板の短手方向の中央部分を、長手方向の一端を残して厚み方向に沿って切欠いた形状に形成されている。懸垂部４０の長手方向の長さは、支持部２０の長さと同程度に形成され、懸垂部４０の短手方向の幅は、支持部２０の幅と同一に形成されている。懸垂部４０の切欠き部分の互いに対向する両側面は、突出部３０の幅と同じ間隔だけ隔てられていて、切欠き部分は吊下げ部６０を収容するための収容空間Ｓとなる。
【００２１】
突出部３０の高さは、懸垂部４０の厚み内に収まるように形成されており、懸垂部４０は、突出部３０を短手方向の両側から挟むように枢着軸７１により突出部３０に枢着されている。懸垂部４０は、支持部２０に対して重合する閉状態において、支持部２０の長手方向の他端２２及び短手方向の各側面と、外側の各側面が面一となる。
【００２２】
懸垂部４０の枢着部分８１側の端面は、懸垂部４０の厚み方向に対して傾斜している。端面の傾斜は、懸垂部４０における支持部２０と重合する面とは反対側の面に対して、９０°よりも小さな角をなすようにつけられている。懸垂部４０が支持部２０に対して重合する閉状態から９０°よりも小さな開状態まで開閉可能なように、枢着軸７１が位置し、懸垂部４０の枢着部分８１における回転の内側の角部が適宜丸められている。
【００２３】
支持部２０の枢着部分８１の下面２４と、懸垂部４０の枢着部分８１側の端面は、支持部２０に対して懸垂部４０を開状態にしたときに、縦横に広がりのある面で互いに面接触して開き角度Ａ１がこれ以上大きくなることを規制する一組の当接規制面２５，４５を構成する。
【００２４】
支持部２０の下面２４にはシート状の滑り止め２６が形成されている。図示例では、懸垂部４０が支持部２０に対して重合した閉状態において、収容空間Ｓと重なる範囲にのみに形成している。支持部２０の下面２４の全体に形成してもよい。滑り止め２６にはゴムやシリコン等の適宜の材料として用いることができる。
【００２５】
支持部２０と懸垂部４０の互いに対向する対向面２７，４７には、懸垂部４０と支持部２０の閉状態において、互いに引き合うように磁石２８，４８が埋め込まれている。磁石２８，４８は開放遊端４２側の閉状態にしたときに互いに重なる位置に設けられている。支持部２０と懸垂部４０の一方を磁石と引き合う材料で構成した場合は、他方にのみ磁石を備えることもできる。
【００２６】
吊下げ部６０は、角柱状をなし、収容空間Ｓに収まる長さと幅を有する形状に形成されている。また、図示例では、吊下げ部６０は、懸垂部４０の厚みから滑り止め２６の厚み分差し引いた厚みを有する形状に形成されている。吊下げ部６０の厚みが懸垂部４０の厚みと同一となるように形成してもよい。吊下げ部６０も中実な構成である。
【００２７】
懸垂部４０の開放遊端４２側において、懸垂部４０の収容空間Ｓを構成し、互いに対向する両側面と吊下げ部６０の一端が枢着軸７２により枢着されている。  
枢着は、吊下げ部６０を懸垂部４０の収容空間Ｓに収める傾倒状態から、吊下げ部６０を懸垂部４０に対して略直角に起立させた起立状態になる範囲を回転するように設定する。
【００２８】
そして、図４に示すように、吊下げ部６０の起立状態における枢着部分８２側の懸垂部４０と吊下げ部６０の各対向面には、縦横に広がりのある面で互いに面接触して開き角度Ａ２がこれ以上大きくなることを規制する一組の当接規制面４６，６５が形成されている。
【００２９】
また、図５（ａ）に示すように、吊下げ部６０の傾倒状態における枢着部分８２側の懸垂部４０と吊下げ部６０の各対向面には、縦横に広がりのある面で互いに面接触して起立状態へと回転する方向と逆方向への回転を規制する一組の当接規制面４６，６５が形成されている。
【００３０】
懸垂部４０が支持部２０に対して重合した閉状態において、図５（ｂ）に示すように、吊下げ部６０及び滑り止め２６が収容空間Ｓ内に収まり、外部からは吊下げ部６０及び滑り止め２６が見えない状態となる。また、支持部２０と懸垂部４０に備えられた磁石２８，４８同士が引き合って閉状態を保持する。  
支持部２０、懸垂部４０及び吊下げ部６０には硬質の材料を用いる。例えば、金属、合成樹脂、木など適宜の材料を用いることができる。
【００３１】
以上のように構成された折畳み式荷物吊下げ具１１では、以下に述べる作用効果を奏する。  
折畳み式荷物吊下げ具１１は、懸垂部４０と吊下げ部６０を枢着軸７２方向に並列配置する構成であり、懸垂部４０と吊下げ部６０の回転方向に沿った各断面を曲げ剛性の高い中実の方形状等に形成している。このため屈曲し難い。また、支持部２０と懸垂部４０の枢着部分８１、及び懸垂部４０と吊下げ部６０の枢着部分８２に、相互の開き角度Ａ１，Ａ２を規制する当接規制面２５，４５，４６，６５を設けている。このため、荷物２００を吊下げ部６０に吊り下げた際に、荷物２００の荷重を面で受けることができる。その結果、折畳み式荷物吊下げ具１１は、懸垂部４０を薄い板を箱状に形成し、その板の縁で開き角度を規制する構造であるものに比べ、屈曲や変形が生じ難く耐荷重力が高い構造にすることができる。
【００３２】
吊下げ部６０は、傾倒状態において懸垂部４０の厚み内に収まる厚さに形成されている。このため、懸垂部４０を閉状態にしたときに、吊下げ部６０が露出しない構造にすることができる。この場合、折畳み式荷物吊下げ具１１は、外観からはあたかも一枚の部材のように見え、見栄えが良い。
【００３３】
折畳み式荷物吊下げ具１１は、懸垂部４０を閉状態にしたときに、全体が厚みのある長方形状となる形状に形成されている。このため、見栄えが良くしかもコンパクトで薄型のハンドバックや服のポケットに入れて携帯するのに便利である。
【００３４】
支持部２０の下面２４に滑り止め２６を備えているため、荷物２００を吊り下げた折畳み式荷物吊下げ具１１がテーブル１００の上面１０１から滑り落ちることを防止できる。
【００３５】
懸垂部４０の閉状態を保持する保持手段として、支持部２０と懸垂部４０に磁石２８，４８を備えている。このような保持手段を備えることでハンドバック等に入れて持ち運ぶ際に懸垂部４０が不測に開いてしまうことを防止できる。
【００３６】
さらに、特許文献１の荷物吊下げ具のように、収納ケース、支持板、回動立伏板に加え、フックを備えた構成に比べ、部品点数が少なく安価に製造することが可能である。  
また、折畳み式荷物吊下げ具１１の材料に金属を用いた場合は、文鎮としても利用することができる。
【００３７】
以下その他の例について説明する。この説明において、前述の構成と同一又は同等の部位については同一の符号を付してその詳しい説明を省略する。  
図６は、支持部２０の上面に広告を付し、支持部２０の一端２１に取付孔３１を設けた折畳み式荷物吊下げ具１１を示している。
【００３８】
広告を付した折畳み式荷物吊下げ具１１は、宣伝広告用や販売促進用の物品として提供することができる。例えば、喫茶店において、その喫茶店の広告を付した折畳み式荷物吊下げ具１１を顧客に提供すれば、喫茶店の宣伝になると共に、顧客は荷物２００をテーブル１００の下に吊り下げることができる。喫茶店の備品としてテーブル１００に備えておけば、宣伝になると共に、顧客はこれを使用することができ、また伝票の重石として利用することもできる。  
また、取付孔３１を設けることで、例えばストラップ３００などを取り付けてハンドバック等から取り出し易くすることができるなど、利便性が向上する。
【００３９】
図７は、吊下げ部６０のやや先端側の荷物２００の手提げ紐などが接する上面に、手提げ紐などが引っ掛かる凹凸状の掛止部分６７を設けた折畳み式荷物吊下げ具１１を示している。図示例の他、凹状の掛止部分６７を設けてもよい。
【００４０】
掛止部分６７を設けることで、荷物２００を吊り下げた状態において重心位置が支持部２０のより他端２２側、すなわちテーブル１００の端からより内側へ入り込んだ部分の垂直下方位置となり、支持部２０がテーブル１００を下方に押し付ける力が大きくなるため、吊り下げ状態がより安定する。
【００４１】
この考案の構成と、上述の実施形態との対応において、
接触面は、下面２４に対応し、
保持手段は、磁石２７，４７に対応し、
支持部と懸垂部の枢着部分は、枢着部分８１に対応し、
懸垂部と吊下げ部の枢着部分は、枢着部分８２に対応し、
取付対象は、テーブル１００に対応するも
この考案は、上述の実施形態の構成のみに限定されるものではなく、多くの実施の形態を得ることができる。
【符号の説明】
【００４２】
１１…折畳み式荷物吊下げ具
２０…支持部
２１…一端
２２…他端
２３…上面
２４…下面
２５，４５，４６，６５…当接規制面
２６…滑り止め
２７，４７…対向面
２８，４８…磁石
２９…広告
４０…懸垂部
４２…開放遊端
６０…吊下げ部
７１，７２…枢着軸
８１，８２…枢着部分
１００…テーブル
１０１…上面
Ａ１，Ａ２…開き角度
Ｓ…収容空間
【図１】
0003175038.tif 000003
【図２】
0003175038.tif 000004
【図３】
0003175038.tif 000005
【図４】
0003175038.tif 000006
【図５】
0003175038.tif 000007
【図６】
0003175038.tif 000008
【図７】
0003175038.tif 000009